(57)【特許請求の範囲】
【請求項１】
表面にオブジェクトに関するコンテンツであるオブジェクト情報を表示可能な媒体と、前記媒体に対する操作の履歴を管理する管理装置と、前記媒体の表面にオブジェクト情報を表し、表されたオブジェクト情報を消去する印刷装置と、前記媒体上の位置を特定する座標取得装置と、を備える情報管理システムにおいて、前記媒体に関する情報を管理する情報管理方法であって、
前記媒体には、前記座標取得装置が前記媒体上の位置を特定するための情報が付されており、
前記座標取得装置は、前記媒体上に付された情報を参照して、前記媒体上の位置及び該位置が特定された時刻を取得し、
前記管理装置は、前記媒体の識別子と、前記媒体に表されたオブジェクト情報と、前記オブジェクトの有効期間との対応を保持し、
前記管理装置は、前記有効期間の開始を記録すると共に、前記印刷装置が前記オブジェクト情報を前記媒体に表し、
前記管理装置は、前記座標取得装置が取得した前記媒体上の位置及び前記時刻に基づいて、媒体に記入されたストロークの情報を生成し、前記生成されたストロークの情報を前記オブジェクト情報の識別子と対応させて保持することを特徴とする情報管理方法。
【請求項２】
前記管理装置は、
前記オブジェクト情報を保持し、
前記有効期間が終了していれば、前記管理装置に保持されたオブジェクト情報の中から、検索対象時刻が前記有効期間に含まれ、前記媒体の識別子に対応するオブジェクト情報を検索し、
前記検索されたオブジェクト情報を提供することを特徴とする請求項１に記載の情報管理方法。
【請求項３】
前記管理装置は、前記印刷装置が前記オブジェクト情報を前記媒体から消去すると、前記媒体の識別子と前記オブジェクト情報との対応を解除することを特徴とする請求項１に記載の情報管理方法。
【請求項４】
前記管理装置は、前記印刷装置が前記オブジェクト情報を前記媒体から消去すると、前記オブジェクトの有効期間を終了させることを特徴とする請求項１に記載の情報管理方法。
【請求項５】
前記情報管理システムは、さらに、前記管理装置と常時接続される第１の端末と、前記管理装置と必要に応じて接続される第２の端末とを備え、
前記管理装置は、前記第１の端末によって操作された前記媒体の識別子と、前記媒体に表されたオブジェクト情報の第１の識別子と、前記オブジェクトの有効期間との対応を保持し、
前記第２の端末は、前記第２の端末によって操作された前記媒体の識別子と、前記媒体に表されたオブジェクト情報の第２の識別子との対応を保持し、
前記管理装置は、前記第２の端末が前記管理装置に接続されると、前記オブジェクト情報の第２の識別子を変換し、前記変換されたオブジェクト情報の識別子と前記媒体の識別子との対応を記録することを特徴とする請求項１に記載の情報管理方法。
【請求項６】
前記第２の端末は、前記第２の端末によって前記媒体に対する操作がされた時刻を保持し、
前記管理装置は、前記第２の端末が前記管理装置に接続されると、前記第２の端末による媒体に対する操作時刻と前記管理装置に保持された前記オブジェクトの有効期間とを照合し、媒体の識別子が同一でありかつ前記操作時刻が前記有効期間に含まれるときは、前記第２の端末に保持された前記オブジェクト情報の第２の識別子を、前記管理装置に保持された前記オブジェクト情報の第１の識別子に変換することを特徴とする請求項５に記載の情報管理方法。
【請求項７】
前記管理装置と前記第１及び第２の端末との間のデータ通信に、共通鍵暗号通信方法又は公開鍵／秘密鍵暗号通信方法を利用することを特徴とする請求項５に記載の情報管理方法。
【請求項８】
前記管理装置は、ユーザによって指定されたオブジェクトに対するオブジェクト情報と前記指定されたオブジェクトに対する操作の履歴の情報を検索し、前記検索された情報をユーザに提示することを特徴とする請求項１に記載の情報管理方法。
【請求項９】
表面にオブジェクト情報を表示可能な媒体と、前記媒体に対する操作の履歴を管理する管理装置と、前記媒体上の位置を特定する座標取得装置とを備え、前記媒体に関する情報を管理する情報管理システムであって、
前記媒体の表面にオブジェクト情報を表し、表された情報を消去する印刷装置を備え、
前記媒体には、前記座標取得装置が前記媒体上の位置を特定するための情報が付されており、
前記座標取得装置は、前記媒体上に付された情報を参照して、前記媒体上の位置及び該位置が特定された時刻を取得し、
前記管理装置は、
前記媒体の識別子と、前記オブジェクト情報と、前記媒体に表された情報の有効期間とを保持し、
前記有効期間の開始を記録すると共に、前記印刷装置が前記オブジェクト情報を前記媒体に表し、
前記座標取得装置が取得した前記媒体上の位置及び前記時刻に基づいて、媒体に記入されたストロークの情報を生成し、前記生成されたストロークの情報を前記オブジェクト情報の識別子と対応させて保持することを特徴とする情報管理システム。
【請求項１０】
前記管理装置は、
前記オブジェクト情報を保持し、
前記有効期間が終了していれば、前記管理装置に保持されたオブジェクト情報の中から、検索対象時刻が前記有効期間に含まれ、前記媒体の識別子に対応するオブジェクト情報を検索し、
前記検索されたオブジェクト情報を提供することを特徴とする請求項９に記載の情報管理システム。
【請求項１１】
前記管理装置は、前記印刷装置が前記オブジェクト情報を前記媒体から消去すると、前記媒体の識別子と前記オブジェクト情報との対応を解除にすることを特徴とする請求項９に記載の情報管理システム。
【請求項１２】
前記管理装置は、前記印刷装置が前記オブジェクト情報を前記媒体から消去すると、前記オブジェクトの有効期間を終了させることを特徴とする請求項９に記載の情報管理システム。
【請求項１３】
さらに、前記管理装置と常時接続される第１の端末と、前記管理装置と必要に応じて接続される第２の端末とを備え、
前記管理装置は、前記第１の端末によって操作された前記媒体の識別子と、前記媒体に表されたオブジェクト情報の第１の識別子と、前記オブジェクトの有効期間との対応を保持し、
前記第２の端末は、前記第２の端末によって操作された前記媒体の識別子と、前記媒体に表されたオブジェクト情報の第２の識別子との対応を保持し、
前記管理装置は、前記第２の端末が前記管理装置に接続されると、前記オブジェクト情報の第２の識別子を変換し、前記変換されたオブジェクト情報の識別子と前記媒体の識別子との対応を記録することを特徴とする請求項９に記載の情報管理システム。
【請求項１４】
前記第２の端末は、前記第２の端末によって前記媒体に対する操作がされた時刻を保持し、
前記管理装置は、前記第２の端末が前記管理装置に接続されると、前記第２の端末による媒体に対する操作時刻と前記管理装置に保持された前記オブジェクトの有効期間とを照合し、媒体の識別子が同一でありかつ前記操作時刻が前記有効期間に含まれるときは、前記第２の端末に保持された前記オブジェクト情報の第２の識別子を、前記管理装置に保持された前記オブジェクト情報の第１の識別子に変換することを特徴とする請求項１３に記載の情報管理システム。
【請求項１５】
前記管理装置及び前記第１及び第２の端末は、前記管理装置と前記端末との間のデータ通信方法に、共通鍵暗号通信方法又は公開鍵／秘密鍵暗号通信方法を利用することを特徴とする請求項１３に記載の情報管理システム。
【請求項１６】
前記管理装置は、ユーザによって指定されたオブジェクトに対するオブジェクト情報と前記指定されたオブジェクトに対する操作の履歴の情報を検索し、前記検索された情報をユーザに提示することを特徴とする請求項９に記載の情報管理システム。
【発明の詳細な説明】
【技術分野】
【０００１】
本発明は、書類等の媒体を管理する情報管理システムに関し、特に、情報を書き換え可能な媒体を管理する技術に関する。
【背景技術】
【０００２】
近年、情報を書き換え可能な媒体（リライタブルペーパ）が使用されるようになってきた。例えば、リライタブルペーパを、物流における荷物タグに適用すれば、一枚の紙を何回も利用できるため、環境保全に貢献できる。このような荷物タグに記載された情報を管理する技術が提案されている。
【０００３】
例えば、特開２００４−３０２６１４号公報には、印刷装置、ＲＦＩＤ読取装置、クライアント端末、データ記憶管理装置を備えるコンテンツ共有システムが開示されている。このコンテンツ共有システムでは、ネットワーク上のデータ記憶管理装置に保存されたコンテンツ情報が印刷されたＲＦＩＤタグ付き情報表示媒体のＲＦＩＤタグのＩＤコードとコンテンツ情報とを１対１に対応させた対応関係をデータ記憶管理装置に登録する。情報表示媒体のコンテンツ情報の書き換え要求に伴い、情報表示媒体のＲＦＩＤタグからＩＤコードが読み取られ、ＩＤコードに対応するコンテンツ情報がデータ記憶管理装置から検索され、検索されたコンテンツ情報が別のＲＦＩＤタグ付き情報表示媒体に印刷される。
【０００４】
また、特開２００４−２１３３７２号公報には、商品の流通過程の各流通拠点の流通拠点端末で生成された各種情報からなる流通情報を流通ＤＢに記憶する商品管理方法が開示されている。この商品管理方法では、流通拠点端末から受信した検索条件に基づいて、流通ＤＢから該検索条件に該当する前記流通情報が検索される。この検索条件は、商品を特定するための商品コードを少なくとも含んでいる。
【特許文献１】特開２００４−３０２６１４号公報
【特許文献２】特開２００４−２１３３７２号公報
【発明の開示】
【発明が解決しようとする課題】
【０００５】
しかし、リライタブルペーパは表示内容を書き換えることができるので、リライタブルペーパに表示された情報が、正しい権限のユーザによって書き込まれた正しい情報であることが保障されない問題があった。特に、通常の紙を使用した場合と比べて、リライタブルペーパでは、記載された情報が改変されたことに気が付きにくいことから、記載された情報が真正であることの保証が求められる。
【０００６】
本発明は、印刷内容の書換えが可能なリライタブルペーパを利用する際に、リライタブルペーパに表される情報の真正を保証することを目的とする。
【課題を解決するための手段】
【０００７】
本発明の代表的な一形態によると、表面にオブジェクト情報を表示可能な媒体と、前記媒体に対する操作の履歴を管理する管理装置と、前記媒体上の位置を特定する座標取得装置とを備え、前記媒体に関する情報を管理する情報管理システムであって、前記媒体の表面にオブジェクト情報を表し、表された情報を消去する印刷装置を備え、前記媒体には、前記座標取得装置が前記媒体上の位置を特定するための情報が付されており、前記座標取得装置は、前記媒体上に付された情報を参照して、前記媒体上の位置及び該位置が特定された時刻を取得し、前記管理装置は、前記媒体の識別子と、前記オブジェクト情報と、前記媒体に表された情報の有効期間とを保持し、前記有効期間の開始を記録すると共に、前記印刷装置が前記オブジェクト情報を前記媒体に表し、前記座標取得装置が取得した前記媒体上の位置及び前記時刻に基づいて、媒体に記入されたストロークの情報を生成し、前記生成されたストロークの情報を前記オブジェクト情報の識別子と対応させて保持する。
【発明の効果】
【０００８】
本発明の一形態によれば、媒体に表されたオブジェクト情報が真正であるかを確認することができる。
【発明を実施するための最良の形態】
【０００９】
まず、本発明の概要について説明する。
【００１０】
図１は、本発明が適用された情報管理システムによる処理の概念図であり、本発明におけるリライタブルメディアのライフサイクルを示す。
【００１１】
本発明は、媒体の個体を識別する手段と、媒体に書き込まれた情報を取得する手段とを用いて、その媒体、その媒体に表された情報に関連する電子情報、その媒体への書込み、及び媒体の状態が変更された時間を対応付けて管理する。本発明で管理される電子情報は、媒体に表された情報そのものの他、媒体に表された情報に関連する付加コンテンツを含む。
【００１２】
まず、一意に識別可能な識別子（媒体ＩＤ）が付与された媒体１が生成される。この媒体１は、表面に文字等が印刷及び消去可能である（１）。この媒体は、媒体を一意に識別することができる。例えば、この媒体には、デジタルペンによって認識可能なドットパターンが付された紙を用いることができる。また、読取装置によって識別子を読み出し可能な無線タグを用いることができる。また、紙に印刷された二次元バーコードを用いることができる。
【００１３】
さらに、媒体上に印刷された情報の印刷及び消去方法としては、ロイコ染料を用いて、加熱後の冷却スピードによって発色、消色を切り替える技術を用いることができる。また、加熱によって発色剤と色素との結合を切断し、消色剤と色素とを結合させることによって、発色から消色へ切り替える消えるインク（例えば、ｅ−ｂｌｕｅ）を用いることができる。
【００１４】
本実施例では、媒体ＩＤの取得手段としてデジタルペンを用いる。デジタルペンを用いた場合、デジタルペンで取得した媒体上のドットパターンの識別子（ドットパターンＩＤ）を媒体ＩＤとすることができる。
【００１５】
その後、生成された媒体上に何らかの情報が印刷される。その際、媒体１（媒体ＩＤ）と媒体に印刷された内容と関連する電子情報（例えば、印刷元のファイル、付加コンテンツ）とがリンクされる（２）。情報が印刷された媒体１は、図２に示すように、例えば、ラベルとして商品２に貼付され、商品の識別に用いられる。
【００１６】
その後、流通過程で、デジタルペン１４を用いて媒体に触れることによって媒体ＩＤを取得し、取得した媒体ＩＤに基づいてサーバに問い合わせ、リンクされている電子情報を取得する（３）。このとき、操作者が電子情報を取得する権限があるかを確認した後、電子情報を提供してもよい。操作者は取得した電子情報と、媒体上に印刷された情報を照合することによって、媒体に印刷された情報が真正であることを確認することができる。
【００１７】
さらに、デジタルペン１４を用いて媒体上に情報を書き込むと、書き込まれた情報が電子情報に更新される（４）。情報の書込時も、操作者が電子情報を取得する権限があるかを確認した後、書き込まれた情報を電子情報に更新する。
【００１８】
さらに、媒体上に印刷された情報及び書き込まれた情報を消去すると、媒体は再利用可能な状態になる。その際、媒体ＩＤと電子情報とのリンクを切断する（５）。情報が消去され、電子情報とのリンクが切断された媒体は、（２）において、再度、情報を印刷して使用することができる。
【００１９】
さらに、媒体が、多数回、書込及び消去されると、媒体上の情報がきれいに消去できなくなることから、媒体が廃棄される。その際、媒体が廃棄されたことが記憶される（６）。
【００２０】
すなわち、本発明では、媒体に印刷がされた時刻（２）から媒体から情報が消去された時刻（５）の間、媒体ＩＤと媒体に表された情報に関係する電子情報がリンクされている。
【００２１】
換言すると、本発明の一実施の形態では、例えば、デジタルペン及びドットパターンのような媒体を識別する手段を用いて、媒体と媒体に表された情報に関係する電子情報とを対応付けて管理する。さらに、手書き情報取得手段を用いて、媒体と媒体へ書き込まれた情報とを対応付けて管理する。そして、媒体に情報が印刷されると、媒体と電子情報とがリンクする。また、媒体から情報が消去されると、媒体と電子情報とのリンクが解除される。
【００２２】
次に、本発明の実施の形態を、図面を参照して説明する。
【００２３】
（第１実施形態）
図３は、第１の実施の形態の情報管理システムの構成を示すブロック図である。
【００２４】
第１の実施の形態の情報管理システムは、サーバ１１、クライアント端末１２、デジタルペン１４、ネットワーク１８及び位置情報サーバ１９を備える。
【００２５】
サーバ１１、クライアント端末１２及び位置情報サーバ１９は、ネットワーク１８を介して互いに接続されている。クライアント端末１２とデジタルペン１４は、ブルートゥース、無線ＬＡＮ、携帯電話システム又は赤外線等の無線によって接続される。また、ＵＳＢ（Universal Serial Bus）等のプロトコルを用い有線によって接続されてもよい。
【００２６】
サーバ１１は、媒体に関する情報を管理し、媒体に関する情報をクライアント端末１２に提供する。サーバ１１は、計算部１１１、データ通信部１１２及びデータ管理部１１３を備える。計算部１１１は、ＣＰＵ及びメモリを備える。ＣＰＵは、各種プログラムを呼び出して実行することによって、サーバ１１で実行される処理に関する演算をする。
【００２７】
データ管理部１１３は、不揮発性の記憶媒体（例えば、磁気ディスクドライブ）で構成されており、計算部１１１で実行される各種プログラムを格納する。また、記憶部１１３は、タグＩＤ・オブジェクトＩＤ対応表２１（図４参照）、オブジェクト情報２２（図５参照）、印刷情報２３（図６参照）、付加内容情報２４（図７参照）、ユーザ情報２５Ａ等（図８参照）、履歴情報２６（図９参照）及びストローク情報２７（図１１Ｂ参照）を格納する。
【００２８】
データ通信部１１２は、ネットワークインターフェースを含む。ネットワークインターフェースは、例えば、ＴＣＰ／ＩＰプロトコルを用いて通信可能なＬＡＮカードである。サーバ１１は、ネットワークインターフェースによって、クライアント端末１２等のネットワーク１８に接続された機器と通信することができる。
【００２９】
クライアント端末１２は、ユーザが使用するコンピュータ装置で、デジタルペン１４から受信した情報をサーバ１１に転送する。クライアント端末１２には、印刷装置１３が接続されている。
【００３０】
クライアント端末１２は、計算部１２１、データ通信部１２２、ペン入力部（図示省略）、操作入力部（図示省略）及びデータ表示部（図示省略）を備える。計算部１２１は、ＣＰＵ及びメモリを備える。ＣＰＵは、各種プログラムを呼び出して実行することによって、クライアント端末１２で実行される処理に関する演算をする。
【００３１】
データ通信部１２２は、ネットワークインターフェースである。例えば、ＴＣＰ／ＩＰプロトコルを用いて通信可能なＬＡＮカードである。これによって、クライアント端末１２はネットワーク１８を介してサーバ１１と通信することができる。
【００３２】
ペン入力部は、無線（例えば、ブルートゥース、無線ＬＡＮ）又は有線（例えば、ＵＳＢ）によってデジタルペン１４と接続され、デジタルペン１４が取得した座標等の情報を収集する。なお、ペン入力部は、データ通信部１２２と同じインターフェースであってもよい。
【００３３】
操作入力部は、例えば、キーボードであり、ユーザによって情報が入力される。データ表示部は、例えば、液晶ディスプレイであり、サーバ１１から取得した媒体に関する情報を表示する。
【００３４】
印刷装置１３は、クライアント端末１２からの指示によって、媒体に所定のドットパターンを含む情報を印刷する。この情報が印刷された媒体は、図２に示すように、商品に貼付するラベルとして使用される。
【００３５】
デジタルペン１４は、通常のペンと同様に、紙媒体に文字、図形等を記入することができる。また、デジタルペン１４は、先端に小型カメラを備え、紙に印刷されたドットパターンの画像情報を取得する。また、デジタルペン１４は、予め設定されたペンＩＤを保持する。また、デジタルペン１４は、無線又は有線によってクライアント端末１２と接続する通信インターフェースを備える。
【００３６】
例えば、図１０に示すように、デジタルペン１４は、書類に印刷されたドットパターン情報を取得する。このドットパターン情報からドットパターン空間における座標を計算することができる。そして、位置情報サーバ１９を参照することによって、デジタルペン１４が取得したドットパターン情報から紙面上の座標を特定することができる。
【００３７】
なお、デジタルペン１４は、クライアント端末１２を介さず、携帯電話システム又は無線ＬＡＮシステムを介して、特定した絶対座標、ドットパターンを取得した時刻及びペンＩＤを、直接サーバ１１に送信することもできる。
【００３８】
位置情報サーバ１９は、ＣＰＵ、メモリ、記憶装置等を備えたコンピュータ装置であり、デジタルペン１４によって計算されたドットパターン空間の絶対座標と、紙面上の座標とを対応づけたデータベースを保持しており、紙面上のドットパターンに基づいて、紙面上の座標を提供する。
【００３９】
図４は、第１の実施の形態のタグＩＤ・オブジェクトＩＤ対応表２１の構成図である。
【００４０】
タグＩＤ・オブジェクトＩＤ対応表２１は、媒体と媒体に表された情報との関係、及び、媒体の状態を記憶する情報で、サーバ１１のデータ管理部１１２に格納されている。タグＩＤ・オブジェクトＩＤ対応表２１は、タグＩＤ２１１及び使用オブジェクトＩＤ２１２を含む。
【００４１】
タグＩＤ２１１は、媒体の一意な識別子である。使用オブジェクトＩＤ２１２は、媒体に表された情報の一意な識別子である。オブジェクトＩＤで識別される情報の属性は、オブジェクト情報２２に記録されている。オブジェクトＩＤを用いると、媒体の表面に印刷された情報が特定できる他、媒体の表面に印刷された情報に関連する付加内容（図７参照）も特定することができる。
【００４２】
また、使用オブジェクトＩＤ２１２には、媒体の状態（「廃棄」、「未使用」）も記憶される。
【００４３】
すなわち、使用オブジェクトＩＤ２１２が「廃棄」であれば、このタグＩＤの媒体は物理的に廃棄されている。よって、同じタグＩＤを持つ媒体を新たに作成することによって、このタグＩＤを再び使用することができる。本実施の形態では、媒体が破棄されてもタグＩＤを削除しないが、破棄されたタグＩＤのデータを削除してもよい。
【００４４】
また、使用オブジェクトＩＤ２１２が「未使用」であれば、このタグは存在しているのが、使用されていない。具体的には、媒体が作成されて一度も使用されていない場合、又は、過去に使用されたが、情報が消去されることによって、使用オブジェクトＩＤが消去された場合である。
【００４５】
タグＩＤ・オブジェクトＩＤ対応表２１に表されたタグＩＤ２１１と使用オブジェクトＩＤ２１２とによって、媒体と媒体に表された情報との関係が分かる。そして、タグＩＤ２１１と使用オブジェクトＩＤ２１２とは、同時には１対１の関係にある。すなわち、同じタグＩＤを保有する媒体は複数は存在せず、同じオブジェクトＩＤと関連付けられるタグは、同時に一つしか存在しない。
【００４６】
そして、媒体の表面に情報が印刷されることによって、タグＩＤ２１１とオブジェクトＩＤ２１２とがリンクされる。また、印刷された情報が媒体から消去されることによって、また、情報が印刷された媒体が廃棄されることによって、タグＩＤ２１１とオブジェクトＩＤ２１２とのリンクが解除される。
【００４７】
よって、後述する読出処理（図１３）、書込処理（図１４）及び消去処理（図１５）において、タグＩＤ２１１からオブジェクトＩＤ２１２を特定して、他の情報（オブジェクト情報２２（図５）、印刷情報２３（図６）、付加内容情報２４（図７）、ユーザ情報２５（図８）、履歴情報２６（図９）及びストローク情報２７（図１１Ｂ））を探すので、タグＩＤ・オブジェクトＩＤ対応表２１においてタグＩＤ２１１及び使用オブジェクトＩＤ２１２がリンクされていなければ、これらの情報を探すことができない。タグＩＤ・オブジェクトＩＤ対応表２１は、現時刻における、タグＩＤ２１１と使用オブジェクトＩＤ２１２とのリンク関係を保持する。よって、既に、タグＩＤと使用オブジェクトＩＤとのリンクが解除されていれば、後述するオブジェクト情報２２を参照して、これらの情報を探す必要がある。
【００４８】
図５は、第１の実施の形態のオブジェクト情報２２の構成図である。
【００４９】
オブジェクト情報２２は、オブジェクトの属性を記憶する情報で、サーバ１１のデータ管理部１１２に格納されている。オブジェクト情報２２は、オブジェクトＩＤ２２０、タグＩＤ２２１、開始日時２２２、終了日時２２３、作成ユーザＩＤ２２４Ａ、読出ユーザＩＤ２２４Ｂ、書込ユーザＩＤ２２４Ｃ、印刷ＩＤ２２５、付加内容ＩＤ２２６、ストロークＩＤ２２７及び履歴ＩＤ２２８を含む。
【００５０】
オブジェクトＩＤ２２０は、媒体に表された情報の一意な識別子である。タグＩＤ２２１は、当該オブジェクトＩＤで識別される情報が表された媒体の一意な識別子である。オブジェクトＩＤ２２０とタグＩＤ２２１には、タグＩＤ・オブジェクトＩＤ対応表２１に記録された使用オブジェクトＩＤ２１２とタグＩＤ２１１のペアと同じペアが記録される。
【００５１】
開始日時２２２は、当該オブジェクトＩＤで識別される情報が媒体に印刷された日時である。終了日時２２３は、当該オブジェクトＩＤで識別される情報が媒体から消去された日時である。すなわち、開始日時２２２から終了日時２２３の間が、当該オブジェクトＩＤで識別される情報が媒体に表されている有効期間である。
【００５２】
作成ユーザＩＤ２２４Ａは、当該オブジェクトＩＤで識別される情報を媒体に印刷したユーザの一意な識別子である。読出ユーザＩＤ２２４Ｂは、当該オブジェクトＩＤで識別される情報に関連する情報（付加内容等）を読むことが許されているユーザの一意な識別子である。書込ユーザＩＤ２２４Ｃは、当該オブジェクトＩＤで識別される情報の変更が許されているユーザの一意な識別子である。なお、この例では、読出ユーザＩＤ２２４Ｂ及び書込ユーザＩＤ２２４Ｃには、複数のユーザが登録されており、ユーザＩＤによって各処理に対する権限が異なる。
【００５３】
印刷ＩＤ２２５は、媒体の表面に印刷された情報の一意な識別子であり、印刷情報２３（図６参照）へのリンクである。印刷ＩＤ２２５は、媒体に情報が上書き印刷される（印刷された情報を消去せずに更に情報を印刷する）と、記録される印刷ＩＤが増加する。
【００５４】
付加内容ＩＤ２２６は、媒体の表面に印刷された情報に付随する付加内容の一意な識別子であり、付加内容情報２４（図７参照）へのリンクである。
【００５５】
ストロークＩＤ２２７は、媒体の表面に手書きによって書き込まれた情報（ストロークセット）の一意な識別子であり、ストローク情報２７（図１１Ｂ参照）へのリンクである。ストロークＩＤ２２７は、媒体上に情報が書き込まれると、記録されるストロークＩＤが増加する。
【００５６】
ストロークセットは、一纏まりの線（ストローク）の集合であり、例えば、文字認識におけるレイアウト解析を用いて求められる。レイアウト解析では、線が記入された時間及び／又は線同士の位置関係に基づいて、一纏まりの線を特定し、ストロークセットを求める。すなわち、近い時間及び近い位置に記入されたストロークは一つのストロークセットを構成する。
【００５７】
履歴ＩＤ２２８は、当該オブジェクトＩＤで識別される情報が操作された履歴を示す履歴情報２８（図９参照）へのリンクである。
【００５８】
図６は、第１の実施の形態の印刷情報２３の構成図である。
【００５９】
印刷情報２３は、媒体に印刷された内容に関する情報で、サーバ１１のデータ管理部１１２に格納されている。印刷情報２３は、印刷ＩＤ２３０、印刷日時２３１、印刷ユーザＩＤ２３２及び印刷内容２３３を含む。
【００６０】
印刷ＩＤ２３０は、媒体への印刷処理毎に定められる一意な識別子である。印刷日時２３１は、媒体への情報の印刷日時である。印刷ユーザＩＤ２３２は、当該媒体へ情報を印刷した者の一意の識別子である。印刷内容２３３は、当該媒体に印刷された内容の一意な識別子であり、印刷された電子データのファイル名である。
【００６１】
図７は、第１の実施の形態の付加内容情報２４の構成図である。
【００６２】
付加内容情報２４は、媒体に表された情報に付随する付加内容に関する情報で、サーバ１１のデータ管理部１１２に格納されている。付加内容情報２４は、付加内容ＩＤ２４０、付加日時２４１、付加ユーザＩＤ２４２及び付加データ２４３を含む。
【００６３】
付加内容ＩＤ２４０は、付加内容の一意な識別子である。付加日時２４１は、当該内容が付加された日時である。付加ユーザＩＤ２４２は、当該内容を付加した者の一意の識別子である。
【００６４】
付加データ２４３は、媒体に表された情報に付加された内容である。付加データは２４３は、媒体に印刷されていない内容であっても、媒体に印刷された内容と重複するものでもよい。
【００６５】
図８Ａから図８Ｃは、第１の実施の形態のユーザ情報の構成図である。
【００６６】
ユーザ情報２５Ａ（図８Ａ）は、本実施の形態の情報管理システムを使用するユーザに関する情報で、サーバ１１のデータ管理部１１２に格納されている。ユーザ情報２５Ａは、ユーザＩＤ２５０Ａ、ユーザ名２５１Ａ、印刷装置ＩＤ２５２Ａ及びペンＩＤ２５３Ａを含む。
【００６７】
ユーザＩＤ２５０Ａは、当該ユーザの一意な識別子である。ユーザ名２５１Ａは、当該ユーザの氏名（又は、会社名）である。印刷装置ＩＤ２５２Ａは、当該ユーザが使用する印刷装置１３の一意な識別子である。ペンＩＤ２５３Ａは、当該ユーザが保有するデジタルペン１４の一意な識別子である。印刷装置ＩＤ２５２Ａ及びペンＩＤ２５３Ａは、複数が登録されてもよい。
【００６８】
以上では、ユーザ情報２５Ａについて説明したが、他のユーザ情報２５Ｂ（図８Ｂ）及びユーザ情報２５Ｃ（図８Ｃ）についても同様お項目によって構成され、サーバ１１のデータ管理部１１２に格納されている。
【００６９】
本明細書では、３ユーザのユーザ情報２５Ａ、２５Ｂ及び２５Ｃを示す。例えば、”U0000123”で識別されるユーザは、媒体に情報を印刷した（ラベルを作成した）商品の生産者である。また、”U0000456”で識別されるユーザは、商品の流通業者である。また、”U0000789”で識別されるユーザは、商品の消費者である。
【００７０】
このとき、オブジェクト情報２２を参照すると、ユーザ”U0000123”は、作成ユーザであることから、媒体に情報を印刷した（ラベルを作成した）者であることが分かる。また、ユーザ”U0000123”は、読出ユーザでありかつ書込ユーザであることから、付加内容の読出権限及び情報の書込権限を有する。
【００７１】
一方、ユーザ”U0000456”は、読出ユーザであるが、書込ユーザではないことから、付加内容の読出権限を有し、媒体への情報の書込及び付加内容の更新権限を有さない。さらに、ユーザ”U0000789”は、読出ユーザでありかつ書込ユーザであることから、付加内容の読出権限及び情報の書込権限を有する。
【００７２】
このように、ユーザ毎に読み出し、書き込みの権限を制限することによって、流通過程での情報の改変を防止することができる。すなわち、媒体に表示された情報が改変されていたとしても、ユーザは、媒体に表された情報に関連する電子情報を取得して、媒体に表示された情報を照合することによって、媒体に表された情報が真正であるかを確認することができる。
【００７３】
図９は、第１の実施の形態の履歴情報２６の構成図である。
【００７４】
履歴情報２６は、本実施の形態の媒体に対してなされた操作に関する情報で、媒体に何らかの操作がなされると生成される。履歴情報２６は、サーバ１１のデータ管理部１１２に格納されており、履歴ＩＤ２６０、操作日時２６１、操作ユーザＩＤ２６２、操作タグＩＤ２６３、操作オブジェクトＩＤ２６４、操作種類２６５、操作ＩＤ２６６及び操作結果２６７を含む。
【００７５】
履歴ＩＤ２６０は、操作の一意な識別子である。操作日時２６１は、この操作が成された日時である。操作ユーザＩＤ２６２は、この操作をしたユーザの一意な識別子である。
【００７６】
操作タグＩＤ２６３は、この操作の対象となった媒体の一意な識別子である。操作オブジェクトＩＤ２６４は、この操作の対象となった媒体に表された情報の一意な識別子である。
【００７７】
操作種類２６５は、この操作の種類を示す。操作種類２６５には、「印刷」、「読出」、「書込」、「消去」及び「廃棄」がある。「印刷」は、印刷処理（図１２）が実行されると記録される。「読出」は、読出処理（図１３）が実行されると記録される。「書込」は、書込処理（図１４）が実行されると記録される。「消去」は、消去処理（図１５）が実行されると記録される。
【００７８】
操作ＩＤ２６６は、この操作において使用された情報である。図９に示した例では、
印刷ＩＤ"I0054213"で特定される印刷がされ、さらに、"H0099875"で特定される付加内容が印刷に伴って生成されたことが記録される。なお、操作種類２６５が「書込」の場合は、操作ＩＤ２６６に、ストローク情報２７が記録される。
【００７９】
操作結果２６７は、この操作の結果を示し、「成功」又は「失敗」が記録される。
【００８０】
図１０は、第１の実施の形態のデジタルペン１４による媒体上の座標取得の説明図である。
【００８１】
デジタルペン１４は、ＣＰＵ、メモリ、通信インターフェース、カメラ１４１、電池及び筆圧センサを備える。また、デジタルペン１４は、インク又は黒鉛によって媒体上に文字、記号等を筆記可能なペン先を備える。
【００８２】
デジタルペン１４は、位置検出用のドット２０３が印刷された媒体（紙）２０と共に用いられる。ここで、用紙２０の一部２０１を拡大して、ドット２０３を説明する。用紙２０には、複数の小さなドット２０３が印刷されている。このドット２０３は、仮想的な格子線の交点（基準点）２０２から上下左右にずれた位置に印刷されている。
【００８３】
紙に文字、図形がデジタルペン１４で記入されると、記入された文字等は紙に視認可能に残る。デジタルペン１４は、筆圧センサによってペン先が紙に接したことを検出すると、カメラ１４１によって紙上に印刷されたドット２０３を撮影する。デジタルペン１４は、例えば、６×６個のドット２０３を含む領域を撮影する。
【００８４】
デジタルペン１４は、撮影した各ドットパターンのズレ方の組み合わせから、当該ドットパターンが存在する絶対座標を演算する。この絶対座標は、広大な平面領域における当該ドットパターンが存在する座標である。この広大な平面領域は、ドットパターンが重複しないように配置できる全領域である。
【００８５】
デジタルペン１４は、演算された絶対座標を、デジタルペンインターフェース１３を介して、クライアント端末１２に送信する。クライアント端末１２は、デジタルペン１４から送信された絶対座標を位置情報サーバ１９に送信する。位置情報サーバ１９は、デジタルペン１４から送信された絶対座標に基づいて、前記広大な平面領域中の該紙の位置（ドットパターンＩＤ）と、ある一枚の紙における座標（相対座標）とを特定し、特定したドットパターンＩＤ及び相対座標をサーバ１１に送信する。
【００８６】
このようにして、サーバ１１は、デジタルペン１４が撮影したドットパターンから、ドットパターンＩＤ及び相対座標を取得する。
【００８７】
デジタルペン１４が、ペン先が接した位置の情報を周期的（例えば、一定時間毎）に取得することによって、ペン先の動きが分かる。そして、デジタルペン１４は、撮影したドットパターンに対応する絶対座標、当該ドットパターンの撮影時刻及びペンＩＤをクライアント端末１２に送信する。
【００８８】
サーバ１１は、デジタルペン１４によって演算された絶対座標に基づいて、位置情報サーバ１９から相対座標を取得する。サーバ１１は、取得した相対座標及びドットパターンが撮影された時刻から、ペン先の軌跡（ストローク情報）を生成する。
【００８９】
なお、位置情報サーバ１９を別に設けることなく、サーバ１１に含めてもよい。
【００９０】
また、デジタルペン１４は、ドットパターンＩＤ及び相対座標を特定するために、位置情報サーバ１９を用いなくてもよい。例えば、紙に印刷された識別番号、紙に印刷されたバーコード、又は、紙に埋め込まれたＩＣタグによって用紙を特定してもよい。さらに、タブレットを用いて用紙上の位置（相対座標）を特定することができる。なお、ＩＣタグ等を用いる用紙の特定又はタブレットを用いる用紙上の位置の特定のいずれかと、位置情報サーバ１９による絶対座標の特定を組み合わせてもよい。このようにすると、情報管理システムがドットパターンＩＤ及び相対座標を特定する処理を軽減できる。
【００９１】
図１１Ａは、第１の実施の形態のストロークセットの一例を示す。
【００９２】
ストロークセットは、デジタルペン１４によって記入された記号「レ」７５１を示す。本実施の形態では、図に示すように、左上を原点とし、横方向をＸ軸とし、縦方向をＹ軸として、ストロークの位置が定められる。前述したように、ストロークセットは、一纏まりの線（ストローク）の集合であり、線が記入された時間及び／又は線同士の位置関係に基づいて特定される。
【００９３】
図１１Ｂは、第１の実施の形態のサーバ１１に格納されるストローク情報２７の構成図である。
【００９４】
ストローク情報２７は、ストロークセット情報２７Ａ及び２７Ｂ、及びストローク座標情報２７Ｃを含む。
【００９５】
ストロークセット情報２７Ａは、ストロークＩＤ２７０、書込ユーザＩＤ２７１、書込ペンＩＤ２７２、入力開始日時２７３、サンプリング点数２７４及びポインタ２７５を含む。
【００９６】
ストロークＩＤ２７０は、当該ストロークの一意な識別子である。ペンＩＤ２７２は、当該ストロークを記入したデジタルペン１４の一意な識別子である。
【００９７】
入力開始日時２７３は、当該ストロークセットの記入を始めた日時である。サンプリング点数２７４は、当該ストロークに含まれる点の数である。デジタルペン１４は周期的にペン先の位置を取得しており、このストロークの最初から最後までに取得した点の数が記録される。ポインタ２７５は、ストローク座標情報２７Ｃに対するポインタである。
【００９８】
ストローク座標情報２７Ｃは、Ｘ座標２７６、Ｙ座標２７７及び差分時間２７８を含む。
【００９９】
Ｘ座標２７６は、図１１Ａに示すＸ軸方向の相対座標であり、例えば、ミリメートルを単位として表す。Ｙ座標２７７は、図１１Ａに示すＹ軸方向の相対座標であり、例えば、ミリメートルを単位として表す。差分時間２７８は、デジタルペン１４によって当該相対座標が取得された時刻を表す。なお、差分時間２７８には、入力開始日時２７３からの経過時間が記録されている。
【０１００】
次に、本発明の実施の形態の情報管理システムの処理を説明する。
【０１０１】
図１２は、第１の実施の形態のタグの印刷処理のフローチャートである。
【０１０２】
まず、ユーザは、クライアント端末１２を操作して、媒体に情報を印刷する指示を入力する。このとき、ユーザは、デジタルペン１４を用いて媒体に触れさせることによって、情報の表面に印刷されたドットパターンを読み取って、情報を印刷する媒体を指定する。デジタルペン１４は読み取ったドットパターンをクライアント端末１２に送る。
【０１０３】
クライアント端末１２は、クライアント端末１２を操作したユーザのＩＤ及びデジタルペン１４が取得したドットパターンを含む印刷指示をサーバ１１に送信する。
【０１０４】
サーバ１１は、クライアント端末１２から印刷指示を受信すると、受信した印刷指示に含まれるユーザＩＤを取得し、受信した印刷指示に含まれるドットパターンＩＤからタグＩＤを取得する（Ｓ１０１）。このとき、デジタルペン１４が、新品の媒体で、媒体上に何も印刷されていなければ、デジタルペン１４は媒体からドットパターンを取得できない。デジタルペン１４がドットパターンを取得できないときは、サーバ１１は、新たなタグＩＤを生成する。
【０１０５】
サーバ１１は、デジタルペン１４がドットパターンを取得したか否かによって印刷される媒体が未使用であるか否かを判定する。さらに、サーバ１１は、タグＩＤ・オブジェクトＩＤ対応表２１を参照して、取得したタグＩＤの媒体（印刷される媒体）の状態が「未使用」であるか否かを判定する（Ｓ１０２）。
【０１０６】
判定の結果、媒体が未使用であれば、この媒体に印刷が可能なので、この媒体に印刷されるオブジェクト情報２２、印刷情報２３及び付加内容情報２４を生成し（Ｓ１０３）、ステップＳ１０４に進む。
【０１０７】
ステップＳ１０４では、サーバ１１は、印刷情報２３の印刷内容２３３を参照して、印刷される内容を記録するファイルを特定し、印刷装置１３に印刷命令を送信する。そして、印刷装置１３は、印刷命令を受信すると、媒体に指定された情報を印刷する（Ｓ１０４）。
【０１０８】
その後、サーバ１１は、操作種類２６５に「印刷」が記録された履歴情報２６を作成する。操作ＩＤ２６６には、ステップＳ１０４で生成された印刷情報２３の印刷ＩＤ２３０が記録される（Ｓ１０５）。
【０１０９】
一方、ステップＳ１０２において、使用オブジェクトＩＤ２１２が「未使用」でなければ、タグＩＤ２１１に対応するオブジェクトＩＤ２１１を用いてオブジェクト情報２２を参照し、ステップＳ１０１で取得したユーザＩＤが書込ユーザＩＤ２４４Ｃに含まれるか否かを判定する（Ｓ１０６）。
【０１１０】
その結果、印刷を指示したユーザの識別子が書込ユーザＩＤ２２４Ｃに含まれれば、そのユーザは媒体に表示される情報を変更する権限があるので、オブジェクト情報２２の印刷ＩＤ２２５及び付加内容ＩＤ２２６を追加する（Ｓ１０７）。その後、ステップＳ１０４に進み、印刷装置１３に印刷命令が送信される。
【０１１１】
一方、ステップＳ１０６において、印刷を指示したユーザの識別子が書込ユーザＩＤ２４４Ｃに含まれていなければ、そのユーザは媒体に表示される情報を変更する権限がないので、クライアント端末１２に権限なしを通知する。クライアント端末１２は、付加内容の読出権限がない通知を受信すると、付加内容の読み出し権限がないことをデータ表示部に表示する。なお、デジタルペン１４を振動させる、及び／又は、デジタルペン１４から警告音を出すことによって、読出権限がないことをユーザに通知してもよい（Ｓ１０８）。その後、ステップＳ１０５に進み、履歴情報２６が作成される。
【０１１２】
なお、ステップＳ１０２において、使用オブジェクトＩＤ２１２が「廃棄」であれば、印刷しようとする媒体は存在すべきものではないので、エラーとして、処理を中止すればよい。
【０１１３】
図１３は、第１の実施の形態のタグの読出処理のフローチャートである。
【０１１４】
まず、ユーザは、クライアント端末１２を操作して、媒体の表面に表された情報に関係する付加内容を読み出す指示を入力する。このとき、ユーザは、デジタルペン１４を用いて媒体に触れることによって、情報の表面に印刷されたドットパターンを読み取って、情報を読み出す媒体を指定する。デジタルペン１４は読み取ったドットパターンをクライアント端末１２に送る。
【０１１５】
クライアント端末１２は、クライアント端末１２を操作したユーザのＩＤ及びデジタルペン１４が取得したドットパターンを含む付加内容の読出指示をサーバ１１に送信する。
【０１１６】
サーバ１１は、クライアント端末１２から付加内容の読出指示を受信すると、受信した読出指示に含まれるユーザＩＤを取得し、受信した読出指示に含まれるドットパターンＩＤからタグＩＤを取得する（Ｓ１１１）。
【０１１７】
サーバ１１は、取得したタグＩＤを用いてタグＩＤ・オブジェクトＩＤ対応表２１を参照し、タグＩＤ２１１に対応するオブジェクトＩＤ２１２を特定する。そして サーバ１１は、特定されたオブジェクトＩＤを用いてオブジェクト情報２２を参照し、ステップＳ１１１で取得したユーザＩＤが読出ユーザＩＤ２４４Ｂに含まれるか否かを判定する（Ｓ１１２）。
【０１１８】
その結果、読み出しを指示したユーザの識別子が読出ユーザＩＤ２４４Ｂに含まれれば、そのユーザは付加内容を読み出す権限があるので、印刷ＩＤ２２５から印刷情報２３を特定し、印刷内容２３３を読み出す。さらに、付加内容ＩＤ２２６から付加内容情報２４を特定し、付加データ２４３を読み出す。さらに、ストロークＩＤ２２７からストローク情報を特定し、ストローク情報２７を読み出す。さらに、オブジェクトＩＤを用いて履歴情報２６を検索し、この媒体の履歴情報２６を読み出す（Ｓ１１３）。
【０１１９】
そして、読み出された印刷内容、付加データ、ストローク情報及び履歴情報をクライアント端末１２に送信する。クライアント端末１２は、印刷内容、付加データ、ストローク情報及び履歴情報を受信すると、受信したデータをデータ表示部に表示する（Ｓ１１４）。
【０１２０】
なお、クライアント端末１２は、印刷内容、付加データ、ストローク情報及び履歴情報を表示するものとしたが、これらの一部の情報のみを表示するものでもよい。
【０１２１】
このとき、印刷内容及びストローク情報は媒体のイメージに重畳させて表示される。ユーザは、媒体の表面に表された情報とクライアント端末１２に表示された情報とを比較することによって、媒体に表された情報が真正であるかを確認することができる。さらに、ユーザは、媒体に表された情報に関連する詳細な情報（付加データ）を見ることができる。
【０１２２】
一方、ステップＳ１１２において、読み出しを指示したユーザの識別子が読出ユーザＩＤ２４４Ｂに含まれていなければ、そのユーザは付加内容を読み出す権限がないので、クライアント端末１２に権限なしを通知する。クライアント端末１２は、付加内容の読出権限がない通知を受信すると、付加内容の読み出し権限がないことをデータ表示部に表示する。なお、デジタルペン１４を振動させる、及び／又は、デジタルペン１４から警告音を出すことによって、読出権限がないことをユーザに通知してもよい（Ｓ１１５）
その後、サーバ１１は、操作種類２６５に「読出」が記録された履歴情報２６を作成する（Ｓ１１６）。なお、読出権限がなく、付加内容が読み出せなかった場合は、操作結果２６７に「失敗」が記録された履歴情報２６が生成される。
【０１２３】
なお、図１３に示した読出処理は、タグＩＤと使用オブジェクトＩＤとのリンクが有効な場合であるが、情報が媒体から消去され、タグＩＤと使用オブジェクトＩＤとのリンクが解除された場合には、図１３に示す読出処理では、媒体に表示されていた情報及び媒体に表示されていた情報に関連する情報を読み出すことができない。
【０１２４】
この場合、ユーザは、タグＩＤと検索対象時刻を指定する。サーバ１１は、オブジェクト情報２２を参照して、指定されたタグＩＤがタグＩＤ２２１と同一で、かつ指定された時刻が開始日時２２２及び終了日時２２３の間に含まれるオブジェクトＩＤ２２０を抽出する。そして、前述したステップＳ１１３と同様に、印刷情報２３、付加内容情報２４、ストローク情報２７及び履歴情報２６を読み出す。
【０１２５】
このとき、ユーザが指定した検索対象時刻に該当のオブジェクトＩＤが存在しなければ、「該当する結果なし」をユーザに通知する。
【０１２６】
図１４は、第１の実施の形態のタグの書込処理のフローチャートである。
【０１２７】
まず、ユーザは、デジタルペン１４を用いて、媒体の表面に文字等の情報を書き込む。デジタルペン１４が媒体に触れると、デジタルペン１４は情報の表面に印刷されたドットパターンを読み取って、文字が書き込まれる媒体を特定する。さらに、デジタルペン１４は、ユーザが媒体に書き込んだ文字等のストロークを取得する。
【０１２８】
クライアント端末１２は、クライアント端末１２を操作したユーザのＩＤ、デジタルペン１４が取得したドットパターン及びデジタルペン１４が取得したストローク情報の書込通知をサーバ１１に送信する。
【０１２９】
サーバ１１は、クライアント端末１２から書込通知を受信すると、受信した書込通知に含まれるユーザＩＤを取得し、受信した書込通知に含まれるドットパターンＩＤからタグＩＤを取得する（Ｓ１２１）。
【０１３０】
サーバ１１は、取得したタグＩＤを用いてタグＩＤ・オブジェクトＩＤ対応表２１を参照し、タグＩＤ２１１に対応するオブジェクトＩＤ２１２を特定する。そして サーバ１１は、特定されたオブジェクトＩＤを用いてオブジェクト情報２２を参照し、ステップＳ１２１で取得したユーザＩＤが書込ユーザＩＤ２２４Ｃに含まれるか否かを判定する（Ｓ１２２）。
【０１３１】
その結果、書き込みをしたユーザの識別子が書込ユーザＩＤ２２４Ｃに含まれれば、そのユーザは媒体に表示される情報を変更する権限があるので、デジタルペン１４が取得したストロークのストローク情報２７を生成し、生成されたストロークセット情報の識別子をストロークＩＤ２２７に記録する（Ｓ１２３）。このとき、必要であれば、書き込まれた情報に関する付加内容情報２４を追加してもよい。
【０１３２】
このとき追加される付加情報には、媒体が貼付された商品移管する課金情報が含まれていてもよい。すなわち、ユーザが、媒体状の所定の箇所に（チェックマークやサインを）記入することによって、ユーザに対する課金の承認を求める。そして、所定箇所への記入によって、ユーザに金銭の支払い義務を発生させる。
【０１３３】
一方、ステップＳ１２２において、書き込みをしたユーザの識別子が書込ユーザＩＤ２２４Ｃに含まれていなければ、そのユーザは媒体に表示される情報を変更する権限がないので、クライアント端末１２に権限なしを通知する。クライアント端末１２は、書込権限がない通知を受信すると、文字等を書き込む権限がないことをデータ表示部に表示する。なお、デジタルペン１４を振動させる、及び／又は、デジタルペン１４から警告音を出すことによって、読出権限がないことをユーザに通知してもよい（Ｓ１２４）。
その後、サーバ１１は、操作種類２６５に「書込」が記録された履歴情報２６を作成する（Ｓ１２５）。なお、書込権限がなかった場合は、操作結果２６７に「失敗」が記録された履歴情報２６が生成される。
【０１３４】
図１５は、第１の実施の形態のタグの消去処理のフローチャートである。
【０１３５】
まず、ユーザは、クライアント端末１２を操作して、媒体の表面に表された情報を消去する指示を入力する。このとき、ユーザは、デジタルペン１４を用いて媒体に触れることによって、情報の表面に印刷されたドットパターンを読み取って、消去する媒体を指定する。デジタルペン１４は読み取ったドットパターンをクライアント端末１２に送る。
【０１３６】
クライアント端末１２は、クライアント端末１２を操作したユーザのＩＤ及びデジタルペン１４が取得したドットパターンを含む消去指示をサーバ１１に送信する。
【０１３７】
サーバ１１は、クライアント端末１２から消去指示を受信すると、受信した消去指示に含まれるユーザＩＤを取得し、受信した消去指示に含まれるドットパターンＩＤからタグＩＤを取得する（Ｓ１３１）。
【０１３８】
サーバ１１は、取得したタグＩＤを用いてタグＩＤ・オブジェクトＩＤ対応表２１を参照し、タグＩＤ２１１に対応するオブジェクトＩＤ２１１を特定する。そして  サーバ１１は、特定されたオブジェクトＩＤを用いてオブジェクト情報２２を参照し、ステップＳ１３１で取得したユーザＩＤが書込ユーザＩＤ２４４Ｃに含まれるか否かを判定する（Ｓ１３２）。
【０１３９】
その結果、読み出しを指示したユーザの識別子が書込ユーザＩＤ２４４Ｃに含まれれば、そのユーザは媒体に表示される情報を変更する権限があるので、媒体の表面に表された情報を消去することができる。よって、タグＩＤからオブジェクト情報２２を特定し、終了日時２２３を記録する。さらに、タグＩＤ・オブジェクトＩＤ対応表２１の使用オブジェクトＩＤ２１２を「未使用」に変更する（Ｓ１３３）。その後、印刷装置１３によって、媒体の表面に表された情報を消去する。前述したように本実施の形態で使用される媒体は、加熱後の冷却スピードによって、媒体の表面に文字を表示したり消去したりすることができる。
【０１４０】
一方、ステップＳ１３２において、読み出しを指示したユーザの識別子が書込読出ユーザＩＤ２４４Ｃに含まれていなければ、そのユーザは媒体に表示される情報を変更する権限がないので、媒体の表面に表された情報を消去する権限がないことを、クライアント端末１２に通知する。クライアント端末１２は、消去する権限がない通知を受信すると、媒体の表面に表された情報を消去する権限がないことをデータ表示部に表示する。なお、デジタルペン１４を振動させる、及び／又は、デジタルペン１４から警告音を出すことによって、読出権限がないことをユーザに通知してもよい（Ｓ１３５）
その後、サーバ１１は、操作種類２６５に「消去」が記録された履歴情報２６を作成する（Ｓ１１６）。なお、消去権限がなく、情報が消せなかった場合は、操作結果２６７に「失敗」が記録された履歴情報２６が生成される。
【０１４１】
以上説明したように、本発明の第１の実施の形態では、媒体と媒体に関係する電子情報とを対応付けて管理することができる。すなわち、媒体に情報が印刷されると、タグＩＤと使用オブジェクトＩＤとがリンクする。また、情報が媒体から消去されると、タグＩＤと使用オブジェクトＩＤとのリンクが解除される。よって、媒体と媒体に関係する電子情報とを対応付けて管理することができる。
【０１４２】
また、媒体に印刷された情報とサーバに保持された電子情報とを比較することによって、現在媒体に表されている情報が真正であるかを確認することができる。
【０１４３】
さらに、媒体への情報の書込時にユーザの権限を確認するので、権限のないユーザによって電子情報が改変されることがない。
【０１４４】
ここで、サーバ１１とクライアント端末１５とのデータ通信方法について説明する。
【０１４５】
サーバ１１とクライアント端末１５とは、ネットワーク１８を介してデータ通信をする。ネットワーク１８は、本来は、セキュリティの観点から、専用回線を利用することが望ましい。しかし、コスト等を考慮して、インターネット等の一般に開放されたネットワークを利用する場合がある。そのため、インターネット等の一般に開放されたネットワークを利用した場合でも、セキュアなデータ通信ができることが望ましい。そのためのデータ通信手段として、共通鍵を用いた暗号通信手段と、公開鍵及び秘密鍵を用いた公開鍵／秘密鍵暗号通信手段との二つの手段を説明する。
【０１４６】
共通鍵の暗号通信手段は、データの送信元と受信先とで、それぞれ同じ共通の鍵で、データを暗号化／復号化する方法である。このため、通信の準備として、サーバ１１及びクライアント端末１５で、事前に、図１９に示した処理を行っておく必要がある。
【０１４７】
まず、サーバ１１で共通鍵を作成する（Ｓ１６１）。その後、作成した共通鍵を各クライアント端末１５に配布する（Ｓ１６２〜Ｓ１６４）。この共通鍵の配布方法は、例えばサーバ１１側で共通鍵情報をフレキシブルディスク（ＦＤ）やコンパクトディクス（ＣＤ）などの記録媒体に複製し、共通鍵情報が記録された媒体から各クライアント端末１５に共通鍵を複製する方法がある。
【０１４８】
この共通鍵を利用した、サーバ１１からクライアント端末１５へのデータ送信、及びクライアント端末１５からサーバ１１へのデータ送信では、送信元で共通鍵を利用して暗号化し、受信先で共通鍵を利用して復号する。これによって、セキュアなデータ通信をすることができる。暗号化のアルゴリズムとしては、ＤＥＳ（Data Encryption Standard）など公知の暗号化方式を利用することができる。
【０１４９】
ただし、共通鍵の場合、共通鍵が漏洩すると、サーバ１１とクライアント端末１５との間の全てのデータ通信を傍受されてしまう恐れがある。そのため、他の暗号通信手段として、公開鍵及び秘密鍵を用いた暗号通信手段を適用した場合を以下に説明する。
【０１５０】
本実施例での公開鍵及び秘密鍵を用いた暗号通信手段は、データの送信元ではデータ受信先の公開鍵でデータを暗号化し、データの受信先でデータ受信先の秘密鍵で復号する方法である。このため、通信の準備として、サーバ１１及びクライアント端末１５で、事前に、図２０に示した処理を行っておく必要がある。
【０１５１】
まず、サーバ１１及びクライアント端末１５で、それぞれ、秘密鍵及び公開鍵を作成する（Ｓ１７１、Ｓ１７２）。次に、サーバ１１の公開鍵をクライアント端末１５に配布する（Ｓ１７３〜Ｓ１７５）。この公開鍵の配布方法は、先に共通鍵で述べたように、鍵を媒体に複製する方法の他、サーバ公開鍵の情報をネットワーク１８を介しそのまま送信してもよい。
【０１５２】
次に、クライアント端末１５の公開鍵をサーバに配布する（Ｓ１７６〜Ｓ１７８）。この公開鍵の配布の方法は、先にサーバの公開鍵で述べたいずれの方法でもよい。また、先に受け取ったサーバ１１の公開鍵を利用して、クライアント端末１５の公開鍵のデータを暗号化し、暗号化された公開鍵をネットワーク１８を介してサーバ１１に送信してもよい。暗号化のアルゴリズムは、ＲＳＡ等一般的な公開鍵及び秘密鍵を用いた暗号化方式を利用することができる。
【０１５３】
サーバ１１と各クライアント端末１５との公開鍵の交換によって、サーバ１１からクライアント端末１５へ転送されるデータは、クライアント端末の公開鍵で暗号化され、クライアント端末の秘密鍵で復号化される。一方、クライアント端末１５からサーバ１１へ転送されるデータは、サーバの公開鍵で暗号化され、サーバの秘密鍵で復号化される。これによってセキュアなデータ通信をすることができる。
【０１５４】
なお、サーバ１１の公開鍵配布（Ｓ１７３〜Ｓ１７５）とクライアント端末１５の公開鍵配布（Ｓ１７６〜Ｓ１７８）とは逆の順序でも構わない。
【０１５５】
前述した二つの暗号化手段のいずれかを用いることによって、本発明に関するデータをセキュアに送信することができる。
【０１５６】
最後に、オブジェクトへのタグの取り付け、タグからのデータの読み取り及びタグへのデータの書き込み等の、オブジェクトに関する一連の手続きを検索する処理について、図２１を用いて説明する。
【０１５７】
最初に、ユーザが検索対象のオブジェクトを指定し、オブジェクトＩＤを取得する（Ｓ１８１）。オブジェクトにタグが貼り付いていれば、タグＩＤ・オブジェクトＩＤ対応表２１を参照して、貼り付けられているタグのＩＤからオブジェクトＩＤ２１２を取得する。なお、オブジェクトとタグとのリンクが既に解除されている場合は、ユーザがオブジェクトＩＤを直接指定する、又は、ユーザがタグＩＤと検索対象時刻を指定し、オブジェクト情報２２を参照して、指定された情報からオブジェクトＩＤ２２０を取得する。
【０１５８】
次に、オブジェクトＩＤに該当するオブジェクト情報２２を探し、探し出されたオブジェクト情報２２の内容を読み出す（Ｓ１８２）。さらに、履歴情報２６の操作オブジェクトＩＤ２６３を参照して、オブジェクトＩＤに該当する履歴情報２６を探し、探し出された履歴情報２６の内容を読み出す（Ｓ１８３）。
【０１５９】
最後に読み出されたオブジェクト情報２２及び履歴情報２６をユーザに提示する（Ｓ１８４）。このオブジェクト手続き検索処理によって、着目するオブジェクトに対する一連の操作の履歴を取得することができる。よって、オブジェクトのトレーサビリティを実現することができる。
【０１６０】
（第２実施形態）
図１６は、第２の実施の形態の情報管理システムのブロック図である。
【０１６１】
第２の実施の形態の情報管理システムは、ネットワーク１８と接続されているオンラインのクライアント端末１２の他、ネットワーク１８と接続されていないローカルのクライアント端末１５が設けられている点で、前述した第１の実施の形態の情報管理システムと異なる。なお、第１の実施の形態と同じ構成は同じ符号を付し、その詳細な説明は省略する。
【０１６２】
第２の実施の形態の情報管理システムは、サーバ１１、クライアント端末１２及び１５、デジタルペン１４、ネットワーク１８及び位置情報サーバ１９を備える。
【０１６３】
サーバ１１、クライアント端末１２及び位置情報サーバ１９は、ネットワーク１８を介して互いに接続されている。ローカルのクライアント端末１５は、通常はネットワーク１８に接続されていない。
【０１６４】
すなわち、オンラインのクライアント端末１２は、常時サーバ１１と通信できる。一方、ローカルのクライアント端末１５は、通常はサーバ１１と通信できないが、必要に応じてネットワーク１８に接続され、サーバ１１と通信できる。
【０１６５】
クライアント端末１５とデジタルペン１４は、ブルートゥース、無線ＬＡＮ、携帯電話システム又は赤外線等の無線によって接続される。また、ＵＳＢ（Universal Serial Bus）等のプロトコルを用い有線によって接続されてもよい。
【０１６６】
クライアント端末１５は、計算部１５１、データ通信部１５２、データ管理部１５３、ペン入力部（図示省略）、操作入力部（図示省略）及びデータ表示部（図示省略）を備える。計算部１５１は、ＣＰＵ及びメモリを備える。ＣＰＵは、各種プログラムを呼び出して実行することによって、クライアント端末１５で実行される処理に関する演算をする。
【０１６７】
データ通信部１５２は、ネットワークインターフェースである。例えば、ＴＣＰ／ＩＰプロトコルを用いて通信可能なＬＡＮカードである。これによって、クライアント端末１５は、ネットワーク１８と接続されたときにサーバ１１と通信することができる。
【０１６８】
データ管理部１５３は、不揮発性の記憶媒体（例えば、磁気ディスクドライブ）で構成されており、計算部１５１で実行される各種プログラムを格納する。また、記憶部１５３は、タグＩＤ・オブジェクトＩＤ対応表２１（図４）、オブジェクト情報２２（図５）、印刷情報２３（図６）、付加内容情報２４（図７）、ユーザ情報２５Ａ等（図８）、履歴情報２６（図９）及びストローク情報２７（図１１Ｂ）を格納する。これらのクライアント端末１５に格納されるタグＩＤ・オブジェクトＩＤ対応表２１、オブジェクト情報２２、印刷情報２３、付加内容情報２４、履歴情報２６及びストローク情報２７は、クライアント端末１５がサーバ１１と接続されていない状態では、サーバ１１に保持される各情報と整合していない。
【０１６９】
すなわち、ローカルなクライアント端末１５で何らかの操作がされた場合に、クライアント端末１５は、オブジェクトＩＤを独自のルールに従って生成する。よって、同じタグＩＤに異なるオブジェクトＩＤが関連付けられることがある。
【０１７０】
ペン入力部は、無線（例えば、ブルートゥース、無線ＬＡＮ）又は有線（例えば、ＵＳＢ）によってデジタルペン１４と接続され、デジタルペン１４が取得した座標等の情報を収集する。なお、ペン入力部は、データ通信部１５２と同じインターフェースであってもよい。
【０１７１】
操作入力部は、例えば、キーボードであり、ユーザによって情報が入力される。データ表示部は、例えば、液晶ディスプレイであり、サーバ１１から取得した媒体に関する情報を表示する。
【０１７２】
図１６には、１台のオンラインのクライアント端末１２及び１台のローカルのクライアント端末１５を図示したが、各クライアント端末が複数設けられてもよい。すなわち、複数のローカルのクライアント端末１５によって構成されたセグメントが、ネットワーク１８に接続されるかを切り替えられるようにしてもよい。
【０１７３】
ローカルなクライアント端末１５は、通常はネットワーク１８に接続されていないので、サーバ１１と通信ができない。よって、媒体に対する操作がされるときに、サーバ１１と協働することなく、新たなオブジェクトＩＤが生成されるので、同じタグＩＤに、サーバ１１と異なるオブジェクトＩＤがリンクされることがある。すなわち、ローカルなクライアント端末１５は、サーバ１１に問い合わせないと、グローバルなオブジェクトＩＤが取得できない。
【０１７４】
このため、クライアント端末１５がネットワーク１８に接続されたときに、タグＩＤとオブジェクトＩＤとのリンクが重複する問題が生じる。そこで、クライアント端末１５がネットワーク１８に接続されたときに、オブジェクトＩＤを変換する必要がある。
【０１７５】
図１７は、第２の実施の形態のオフラインデータ変換処理のフローチャートである。
【０１７６】
オフラインデータ変換処理は、ローカルなクライアント端末１５がネットワーク１８に接続され、サーバ１１と通信するときに、サーバ１１で実行される。
【０１７７】
サーバ１１は、ローカルなクライアント端末１５の接続を検出すると、ローカルなクライアント端末１５に蓄積された情報を取得する（Ｓ１４１）。そして、クライアント端末１５から取得した情報に、ローカルなオブジェクトＩＤが存在するか否かを判定する（Ｓ１４２）。このため、ローカルなクライアント端末１５とサーバ１１とは、異なる体系でオブジェクトＩＤを生成するとよい。
【０１７８】
クライアント端末１５から取得した情報にローカルなオブジェクトＩＤが存在していなければ、クライアント端末１５から取得した情報中のローカルなオブジェクトＩＤは全て変換が終了したので、このオフラインデータ変換処理を終了する。
【０１７９】
一方、クライアント端末１５から取得した情報にローカルなオブジェクトＩＤが存在していれば、未変換のオブジェクトＩＤに関する情報を取得する（Ｓ１４３）。そして、グローバルなオブジェクトＩＤを検索して、ローカルなオブジェクトＩＤをグローバルなオブジェクトＩＤに変換する（Ｓ１４４）。
【０１８０】
その後、クライアント端末１５に保持された各種情報を、サーバ１１に複製する（Ｓ１４５）。
【０１８１】
図１８は、第２の実施の形態のオフラインデータ変換処理の詳細なフローチャートであり、図１７のステップＳ１４３からＳ１４５の処理の詳細を示す。
【０１８２】
クライアント端末１５に保持されたオブジェクト情報２２を参照して、ローカルなオブジェクトＩＤ２１２に対応するタグＩＤ２１１を特定する（Ｓ１５６）。また、クライアント端末１５に保持された履歴情報２６を参照して、ローカルなオブジェクトＩＤ２６４の操作日時２６１を取得する（Ｓ１５７）。
【０１８３】
一方、サーバ１１に保持されたオブジェクト情報２２を参照して、クライアント端末１５で特定されたタグＩＤを用いてオブジェクトＩＤ２１２を特定する。そして、特定されたオブジェクトＩＤを用いて、オブジェクト情報２２を参照して、開始日時２２２及び終了日時２２３を取得する（Ｓ１５１）。
【０１８４】
その後、ローカルなクライアント端末１５から取得した操作日時２６１と、サーバ１１に保持されている開始日時２２２及び終了日時２２３を比較する（Ｓ１５２）。そして、操作日時２６１が、同じタグＩＤの開始日時２２２及び終了日時２２３の間であれば、ローカルなオブジェクトＩＤとサーバ１１に保持されているグローバルなオブジェクトＩＤは同じオブジェクトに対するものであると判定する（Ｓ１５３）。
【０１８５】
オブジェクトＩＤが対応すると判定されたら、サーバ１１に保持されたオブジェクト情報２２を、クライアント端末１５に保持されたオブジェクト情報２２に複製する（Ｓ１５４）。これによって、ローカルなオブジェクトＩＤがグローバルなオブジェクトＩＤに変換される。
【０１８６】
その後、クライアント端末１５に保持された印刷情報２３、付加内容情報２４、履歴情報２６及びストローク情報２７を、サーバ１１に保持された各情報に複製する（Ｓ１５５）。
【０１８７】
以上説明したように、本発明の第２の実施の形態では、クライアント端末１５がサーバ１１と常時接続されていないシステムでも、媒体と媒体に関係する電子情報を適切に管理することができる。また、クライアント端末１５がサーバ１１に接続されたときに、媒体に印刷された情報の識別子（オブジェクトＩＤ）を変換するので、クライアント端末１５が単独で動作して生成した電子情報も、サーバ１１に統合することができる。
【図面の簡単な説明】
【０１８８】
【図１】本発明の実施の形態の情報管理システムによる処理の概念図である。
【図２】本発明の実施の形態の媒体の使用状態の説明図である。
【図３】本発明の第１の実施の形態の情報管理システムのブロック図である。
【図４】本発明の第１の実施の形態のタグ情報の構成図である。
【図５】本発明の第１の実施の形態のオブジェクト情報の構成図である。
【図６】本発明の第１の実施の形態の印刷情報の構成図である。
【図７】本発明の第１の実施の形態の付加内容情報の構成図である。
【図８Ａ】本発明の第１の実施の形態のユーザ情報の構成図である。
【図８Ｂ】本発明の第１の実施の形態のユーザ情報の構成図である。
【図８Ｃ】本発明の第１の実施の形態のユーザ情報の構成図である。
【図９】本発明の第１の実施の形態の履歴情報の構成図である。
【図１０】本発明の第１の実施の形態のデジタルペン１４による媒体上の座標取得の説明図である。
【図１１Ａ】本発明の第１の実施の形態のストロークセットの一例の説明図である。
【図１１Ｂ】本発明の第１の実施の形態のストローク情報の構成図である。
【図１２】本発明の第１の実施の形態のタグの印刷処理のフローチャートである。
【図１３】本発明の第１の実施の形態のタグの読出処理のフローチャートである。
【図１４】本発明の第１の実施の形態のタグの書込処理のフローチャートである。
【図１５】本発明の第１の実施の形態のタグの消去処理のフローチャートである。
【図１６】本発明の第２の実施の形態の情報管理システムのブロック図である。
【図１７】本発明の第２の実施の形態のオフラインデータ変換処理のフローチャートである。
【図１８】本発明の第２の実施の形態のオフラインデータ変換処理の詳細なフローチャートである。
【図１９】本発明にかかる共通鍵通信のための準備のフローチャートである。
【図２０】本発明にかかる公開鍵・秘密鍵通信のための準備のフローチャートである。
【図２１】本発明にかかるオブジェクト手続き情報の検索処理のフローチャートである。
【符号の説明】
【０１８９】
１  媒体（リライタブルメディア）
１１  サーバ
１２  クライアント端末
１３  印刷装置
１４  デジタルペン
１５  クライアント端末（ローカル）
１８  ネットワーク
１９  位置情報サーバ
【図１】
0004767084.tif 000002
【図２】
0004767084.tif 000003
【図３】
0004767084.tif 000004
【図４】
0004767084.tif 000005
【図５】
0004767084.tif 000006
【図６】
0004767084.tif 000007
【図７】
0004767084.tif 000008
【図８Ａ】
0004767084.tif 000009
【図８Ｂ】
0004767084.tif 000010
【図８Ｃ】
0004767084.tif 000011
【図９】
0004767084.tif 000012
【図１０】
0004767084.tif 000013
【図１１Ａ】
0004767084.tif 000014
【図１１Ｂ】
0004767084.tif 000015
【図１２】
0004767084.tif 000016
【図１３】
0004767084.tif 000017
【図１４】
0004767084.tif 000018
【図１５】
0004767084.tif 000019
【図１６】
0004767084.tif 000020
【図１７】
0004767084.tif 000021
【図１８】
0004767084.tif 000022
【図１９】
0004767084.tif 000023
【図２０】
0004767084.tif 000024
【図２１】
0004767084.tif 000025